(57)【要約】【課題】出庫する車両が駐車場と定期契約を結んでいる定期車両であったとしても、予め又は事前にロックが掛っている場合は、車両ナンバーを読取って認識しただけでは、当該定期車両の出庫が出来ないように工夫した駐車場管理システムを提供する。【解決手段】定期契約を結んだ定期車両の駐車場への入庫と出庫の管理を、入口ナンバープレート読取機ＶＩＳと出口ナンバープレート読取機ＶＩＳ′による車両ナンバーの読取りによって管理する駐車場管理システムに於いて、車両の出庫に対して自動的に、又は、手動にてロックを掛けるようにする。【選択図】　　　図１
2004029899.tif 000002
【特許請求の範囲】
【請求項１】
駐車場への車両の入庫と出庫に際して、車両ナンバーを認識して入庫と出庫の管理を行うように構成した駐車場管理システムであって、
認識された出庫車輌が定期契約済みの定期車両であり、且つ、出庫に際して、当該定期車両の車両ナンバーに付随するＩＤを用いて予め、又は、事前に車両の出庫をロックするロック情報が入力されている場合に、当該車両の出庫を阻止する車両出庫制限手段が具備されていることを特徴とする駐車場管理システム。
【請求項２】
上記定期車両の出庫に際して、当該定期車両の車両ナンバーに付随するＩＤの入力に基づいてロック解除の操作を行なうことにより、上記車両出庫制限手段による車両出庫阻止の設定が解除されるように構成したことを特徴とする請求項１に記載の駐車場管理システム。
【請求項３】
定期車両の出庫のロックとその解除に用いる上記のＩＤが、少くとも定期車両の車両ナンバーと共に記録媒体に記録されたものであり、且つ、記録媒体読取り手段を介して、駐車場を管理する中央演算処理部に対して車両ナンバーと共に上記出庫のロックとその解除の情報を登録可能に構成したことを特徴とする請求項１又は２に記載の駐車場管理システム。
【請求項４】
駐車場内、又は、駐車場に付随するエリア内に、駐車料金を事前に精算することができる事前精算機を設置し、この事前精算機に対して前記の記録媒体、又は、入力キーを用いてＩＤを入力することで、当該車両の出庫を阻止する前記車両出庫制限手段のロックを解除して、車両の出庫を可能にするように構成したことを特徴とする請求項１、２又は３に記載の駐車場管理システム。
【請求項５】
駐車場に入庫して来る車両の車両ナンバーを認識することによって、一般車両と定期車両とを識別する車両識別手段と、一般車両に対して入庫時に駐車券を発券し、出庫時に駐車券に記録されている入庫時刻に基づいて駐車料金の精算管理と出庫管理を行なう一般車両用管理システムと、定期車両に対しては駐車券を発券せずに認識した車両ナンバーに従って入庫と出庫の管理を行なう定期車両用管理システムを備えたことを特徴とする請求項１、２、３又は４に記載の駐車場管理システム。
【請求項６】
駐車場に定期車両を入庫させるに際して、入庫する全ての定期車両に対して前記車両出庫制限手段による出庫阻止のロックが掛けるようにするか、又は、入庫する定期車両毎の任意の操作によって上記出庫阻止のロックを掛けるように構成すると共に、上記出庫阻止のロックを全ての定期車両に掛けるか、定期車両毎の任意操作にするかの選択を、選定自在に構成したことを特徴とする請求項１、２、３、４又は５に記載の駐車場管理システム。
【請求項７】
前記記録媒体を用いてＩＤを入力することで、前記車両出庫制限手段が当該車両の出庫を阻止するロック状態にあるのか、或は、非ロック状態にあるのかを認識することができる認識システムと、そのロック状態或は非ロック状態を音声又は表示によって通知する通知システムとを備えて成ることを特徴とする請求項１、２、３、４、５又は６に記載の駐車場管理システム。
【発明の詳細な説明】
【０００１】
【発明の属する技術分野】
本発明は、駐車場への車両の入庫と出庫に際して、車両ナンバー（ナンバープレート）を読取って認識し、認識した車両ナンバーに基づいて入出庫の管理と駐車料金の精算管理を行なうように工夫した駐車場管理システムに関するものである。
【０００２】
【従来の技術】
特開平８−２２５９７号公報及び特開平９−７０１４号公報には、駐車場への車両の入出庫（入退場）に際して、車両ナンバーを読取って認識し、認識した車両ナンバーを当該車両のＩＤとして使用して、駐車場への入出庫管理と駐車料金の精算管理を行なう駐車場管理システムが記載されている。
【０００３】
以上の如く構成した従来の駐車場管理システムによると、車両ナンバーを認識してこれをＩＤとして使用するため、駐車券（チケット）を用いて駐車場の入出庫と駐車料金の精算を行なう在来の管理システムに比較して、入出庫時に於ける駐車券の煩わしい取扱いに起因する車両の停滞が無く、車両の入出庫を円滑に行なえる利点を備えている。
【０００４】
【発明が解決しようとする課題】
しかし、上記車両ナンバーをＩＤとして用いる管理システムでは、予め駐車場側と定期契約を結んでいる定期車両（契約車両）の場合は、車両ナンバーの読取りによって定期車両であることが認識されると、入庫や出庫が自動的にフリーパスの状態で行なうことが出来るため、例えば、盗難を目的として駐車場から車両を出庫させようとする場合は、定期車両は簡単に出庫させることができるものであって、車両の盗難防止に対して弱点があった。
【０００５】
そこで本発明の技術的課題は、出庫する車両が駐車場と定期契約を結んでいる定期車両であったとしても、予め又は事前にロックが掛っている場合は、車両ナンバーを読取って認識しただけでは、当該定期車両の出庫が出来ないように工夫した駐車場管理システムを提供することである。
【０００６】
【課題を解決するための手段】
上記の技術的課題を解決するために本発明で講じた手段は以下の通りである。
【０００７】
（１）　前記請求項１に記載の如く、駐車場への車両の入庫と出庫に際して、車両ナンバーを認識して入庫と出庫の管理を行うように構成した駐車場管理システムであって、認識された出庫車輌が定期契約済みの定期車両であり、且つ、出庫に際して、当該定期車両の車両ナンバーに付随するＩＤを用いて予め、又は、事前に車両の出庫をロックするロック情報が入力されている場合に、当該車両の出庫を阻止する車両出庫制限手段が具備されていることを特徴とする。
【０００８】
（２）　前記請求項２に記載の如く、上記定期車両の出庫に際して、当該定期車両の車両ナンバーに付随するＩＤの入力に基づいてロック解除の操作を行なうことにより、上記車両出庫制限手段による車両出庫阻止の設定が解除されるように構成したことを特徴とする。
【０００９】
（３）　前記請求項３に記載の如く、定期車両の出庫のロックとその解除に用いる上記のＩＤが、少くとも定期車両の車両ナンバーと共に記録媒体に記録されたものであり、且つ、記録媒体読取り手段を介して、駐車場を管理する中央演算処理部に対して車両ナンバーと共に上記出庫のロックとその解除の情報を登録可能に構成したことを特徴とする
【００１０】
（４）　前記請求項４に記載の如く、駐車場内、又は、駐車場に付随するエリア内に、駐車料金を事前に精算することができる事前精算機を設置し、この事前精算機に対して前記の記録媒体、又は、入力キーを用いてＩＤを入力することで、当該車両の出庫を阻止する前記車両出庫制限手段のロックを解除して、車両の出庫を可能にするように構成したことを特徴とする。
【００１１】
（５）　前記請求項５に記載の如く、駐車場に入庫して来る車両の車両ナンバーを認識することによって、一般車両と定期車両とを識別する車両識別手段と、一般車両に対して入庫時に駐車券を発券し、出庫時に駐車券に記録されている入庫時刻に基づいて駐車料金の精算管理と出庫管理を行なう一般車両用管理システムと、定期車両に対しては駐車券を発券せずに認識した車両ナンバーに従って入庫と出庫の管理を行なう定期車両用管理システムを備えたことを特徴とする。
【００１２】
（６）　前記請求項６に記載の如く、駐車場に定期車両を入庫させるに際して、入庫する全ての定期車両に対して前記車両出庫制限手段による出庫阻止のロックが掛けるようにするか、又は、入庫する定期車両毎の任意の操作によって上記出庫阻止のロックを掛けるように構成すると共に、上記出庫阻止のロックを全ての定期車両に掛けるか、定期車両毎の任意操作にするかの選択を、選定自在に構成したことを特徴とする。
【００１３】
（７）　前記請求項７に記載の如く、前記記録媒体を用いてＩＤを入力することで、前記車両出庫制限手段が当該車両の出庫を阻止するロック状態にあるのか、或は、非ロック状態にあるのかを認識することができる認識システムと、そのロック状態或は非ロック状態を音声又は表示によって通知する通知システムとを備えて成ることを特徴とする。
【００１４】
前記（１）で述べた請求項１に係る手段によれば、定期車両を駐車場から出庫させる際に、予め、又は、事前に当該車両の出庫を阻止するロックが掛っている場合は、出庫口で車両ナンバーを読取って定期車両であることが認識されたとしても、例えば出庫口ゲートを閉じた状態のままにしたり、その他のロック手段が作動したりして車両の出庫が出来ないようにするため、車両の盗難を防止することができる。
【００１５】
前記（２）で述べた請求項２に係る手段によれば、上記車両の出庫を阻止するロックは、車両ナンバーに付随したＩＤの入力によって解除できるものであって、従って、当該定期車両の所有者或はその関係者ならば、上記のロックを解除して車両を自由に出庫させることができる。
【００１６】
前記（３）で述べた請求項３に係る手段によれば、定期車両の車両ナンバーをＩＤとして使用し、このＩＤを記録した記録媒体（ＩＤカード）を用いて、定期車両の出庫のロックとその解除を簡単に行なうことを可能にする。
【００１７】
前記（４）で述べた請求項４に係る手段によれば、前記記録媒体（ＩＤカード）による定期車両の出庫ロックとその解除を、わざわざ駐車場側の中央演算処理部にアクセスすることなく、駐車場又はその付随エリア内に設置されている事前精算機を用いて簡単に入力設定することを可能にする。
【００１８】
前記（５）で述べた請求項５に係る手段によれば、一般客と契約客とを区別し、一般客には駐車券の発行を行ない、定期車両には駐車券を発行せずに入庫を許可し、又、出庫に際しては、一般客は駐車券を元に精算処理を済ませて出庫を許可し、定期車両には、本人確認を行なうべく処理を行なって出庫の許可を行なうから、盗難に対する備えが万全である。
【００１９】
前記（６）で述べた請求項６に係る手段によれば、定期車両の入庫に際して、全ての定期車両に対してロック処理を行なうか、個別にロック処理するかを選定するようにしたから、駐車場の運営上の自由度が発揮できる。駐車場オーナーとしては、車両の持ち主（契約車両）に対する盗難責任負担の軽減が可能になる。
【００２０】
前記（７）で述べた請求項７に係る手段によれば、事前精算機等から、定期車両の持ち主等が自分自身で当該車両が出庫ロックの状態にあるのか、非ロック状態にあるのかを確認できるため、盗難防止の操作を契約者自からが確認することを可能にする。
【００２１】
【発明の実施の形態】
以下に上述した本発明に係る駐車場管理システムの実施の形態を図面と共に説明すると、図１は本発明を実施した駐車場の構成図で、図中、ＰＫは駐車スペース、ＰＮとＰＵはその入庫通路と出庫通路、ＯＭ，ＯＭ′は入庫する車両と出庫する車両、ＴＳＢは入庫口と出庫口に設けたビームセンサー方式の車両検知センサー、ＴＳＬは同じく入庫口と出庫口に設けたループコイル式のゲートクローズ用車両検知センサーであって、各通路ＰＮとＰＵには以下に述べる入庫システムと出庫システムが設けられている。
【００２２】
即ち、ＴＤは入庫車両ＯＭに対して入庫時刻を記録した駐車券（図示省略）を発券する駐車券発券機、ＡＧは入口ゲートバーＡＰを開閉作動する入口ゲート開閉機、ＶＩＳは入庫車両ＯＭの車両ナンバー（ナンバープレート）を撮像するＣＣＤカメラＣＲと、撮影用ライトＮＬとライト用センサーＳＳによって構成された入口ナンバープレート読取機（ビークルイメージシステム）、ＶＴは上記のＣＣＤカメラＣＲとライトＮＬ及びセンサーＳＳを、入庫通路ＰＮの上に支持して撮影を可能にする支持台であって、これ等各車両検知センサーＴＳＢとＴＳＬから成るトリガーセンサーＴＳと、駐車券発券機ＴＤと、入口ナンバープレート読取機ＶＩＳと、入口ゲート開閉機ＡＧによって、上述した入庫システムが構成されている。
【００２３】
図２は本発明の電気的構成を説明したブロック図であって、この図面に示されているように、上記の入庫システムを構成するトリガーセンサーＴＳと、入口ナンバープレート読取機ＶＩＳと、駐車券発券機ＴＤは、いずれも通信線ＲＳ…を介してビークルイメージカプチャーアプリケーションプロセッサー（ＶＩＣ−ＡＰ）と、モジュールＣＭを備えた入口用マッチングコンピュータＭＣに接続されている。
【００２４】
上記の入口用マッチングコンピュータＭＣは、駐車場側の中央演算処理部であるマッチングサーバＭＳに通信網ＥＴを介して接続され、且つ、マッチングサーバＭＳにはシステムアプリケーションＡＰと、データベースＤＢと、モジュールＣＭが具備されている。
【００２５】
また、ＥＰＳは出庫車両ＯＭ′の出庫に際して上述した駐車券を挿入することにより、駐車料金の算出と精算を行なう駐車料金精算機、ＢＧは出口ゲートバーＢＰを開閉作動する出口ゲート作動機であって、出庫通路ＰＵにも前記入庫通路ＰＮに設けたものと同じ車両検知センサーＴＳＢとＴＳＬから成るトリガーセンサーＴＳが設けられ、更に、出庫車両ＯＭ′の車両ナンバーを撮像するためのＣＣＤカメラＣＲとライトＮＬとセンサーＳＳを備えた出口ナンバープレート読取機ＶＩＳ′（ビークルイメージシステム）が、支持台ＶＴによって出庫通路ＰＵの上に支持された状態で設けられていて、これ等駐車料金精算機ＥＰＳ又は出口読取機ＬＧ（図２参照）と、出口ゲート作動機ＢＧと、トリガーセンサーＴＳと、出口ナンバープレート読取機ＶＩＳ′によって、前述した出口システムが構成されていると共に、これ等の構成部材が夫々前記入口用マッチングコンピュータＭＣと同じ構成の出口用マッチングコンピュータＭＣ′に各通信線ＲＳ…を介して接続され、マッチングコンピュータＭＣ′は通信網ＥＴを介して前述のマッチングサーバＭＳに接続されている。
【００２６】
更に図中、ＣＰＳは駐車スペースＲＫ、又は、駐車スペースＲＫに付随するエリア内に設置した駐車料金を出庫前に精算処理することができる事前精算機であって、図３はその一例を示した全体の正面図、図４は電気的構成を説明したブロック図で、事前精算機ＣＰＳは通信線ＲＳ又は通信網を介して前述したマッチングサーバＭＳに接続されている。
【００２７】
図３に於いて、１は事前精算機ＣＰＳの操作パネル、２は表示器、３Ａはマイク、３Ｂは各種のメツセージを音声出力するスピーカ、４Ｍは入庫時に受取った駐車券の挿入口、５Ｍは紙幣投入口、６Ｍは硬貨投入口、７Ａは釣銭用紙幣の払出口、７Ｂは釣銭用硬貨の払出口、１８は各種データの入力や計算に用いるテンキーであって、上記の駐車券挿入口４Ｍに入庫時に受け取った駐車券を挿入すると、駐車券の磁気ストライブＳＴに書き込まれている入庫時刻が読取られ、且つ、駐車料金が演算されて、この駐車料金が表示器２に表示される仕組に成っている。
【００２８】
次いで、この駐車料金を利用者が紙幣及び硬貨を各投入口５Ｍ，６Ｍに投入することによって精算を済ませると、精算済みの記録（出庫許可記録）を書き込んだ駐車券が上記の挿入口４Ｍに送り戻され、また、釣銭がある場合は各払出口７Ａ，７Ｂに紙幣又は硬貨を払い戻して精算処理を終える仕組に成っている。また、この挿入口４Ｍに契約者のＩＤカードを挿入するか、又は、テンキー１８を用いてＩＤを入力すると、契約済み定期車両の出庫にロックを掛けたり、そのロックを外したりすることができ、更には、当該定期車両がロック又は非ロックのいずれの状態にあるのかの確認を、契約者等が表示器２を見ながら自分自身で行なえるように構成されている。
【００２９】
図４は、上述した事前精算機ＣＰＳの電気的構成を説明したブロック図であって、１０はシステムプログラムを格納したメモリ、１１は制御部の中心を構成するとＣＰＵ、１３はこれ等ＣＰＵ１１とメモリ１０の間にバス１２を介して接続したインターフエイス回路で、このインターフエイス回路１３には、上述した表示器２と、各種の案内やメッセージを放送するスピーカ３Ｂと、挿入口４Ｍに挿入された駐車券や、割引券、プリペイドカード、クレジットカード或はバンクカード、更には、駐車場と定期契約を結んでいる契約者が所持する上記ＩＤカード（いずれも図示省略）に記録されている各種のデータを読取るためのカードリーダ４Ｒが接続されている。尚、上記のＩＤカードには契約者が所有する定期車両の車両ナンバーや、これに付随したデータが読取り可能な状態に書込まれている。
【００３０】
更に上記のインターフエイス回路１３には、表示器に表示する内容を記憶するためのパソコン１４や、利用者や車輌を検知する検知器１５、領収書発行用のプリンター１６、硬貨投入口６Ｍに投入された硬貨を選別するコインセレクター６Ｓ、紙幣投入口５Ｍに投入された紙幣を選別する紙幣リーダー５Ｒ、払出口７Ａ，７Ｂに釣銭を払い出す釣銭払出機７、挿入口４Ｍに挿入されたクレジットカードのデータや、契約者が挿入したＩＤカードの情報を前述したマッチングサーバＭＳへ出力して照会する外部出力装置１７、及び、前述したテンキー１８が接続されていて、夫々がメモリ１０に格納されているプログラムに従ってＣＰＵ１１によって制御作動される仕組に成っている。
【００３１】
以上の如く構成した本発明に係る駐車場管理システムによれば、前記入庫通路ＰＮに設けた入口ナンバープレート読取機ＶＩＳが認識した入庫車両ＯＭの車両ナンバーが、予めマッチングサーバＭＳに登録済みの契約車両（定期車両）のものである場合は、駐車券を発行せずにそのまま入口ゲートバーＡＰを開いて車両ＯＭの入庫を可能と成し、定期車両でない場合は駐車券を発行し、入場者がその駐車券を抜き取ると入口ゲートバーＡＰが開いて入庫を可能と成し、出庫時にはこの駐車券を用いて駐車料金を精算することで、出口ゲートバーＢＰを開いて出庫を可能とする方式が採用されている。また、定期車両が入庫した場合は、自動又は手動でこの定期車両の出庫にロックを掛けて、このロックを解除しない限り、定期車両を自由に出庫できないようにする仕組に成っている。
【００３２】
上述した定期車両に対する出庫ロックの設定には、上記事前精算機ＣＰＳを用いる手動ロック方式と、前記入庫通路ＰＮに設けた入口ナンバープレート読取機ＶＩＳが撮像した車両ナンバーが、マッチングサーバＭＳによって定期車両のものであると確認された場合に、自動的当該車両の出庫にロックを掛ける自動ロック方式の２種が存在し、通常はこれ等２種類のロック方式が併用される。
【００３３】
上述した事前精算機ＣＰＳは、一般車両の駐車料金を事前に精算できるだけではなく、前記契約者が所持するＩＤカードの挿入、又は、テンキー１８によるＩＤ入力操作に基づいて、定期車両の出庫をロック状態にしたり、そのロック状態を解除したりすることができる機能が具備されている。尚、定期車両の出庫にロックを掛けると、出庫通路ＰＵに設けた出口ナンバープレート読取機ＶＩＳ′が定期車両を認識したとしても、出口ゲートバーＢＰが開かないようにロックが掛かるように構成されているが、このロックを解除した場合には、出口ナンバープレート読取機ＶＩＳ′がロックが解除された定期車両の車両ナンバーを認識すると、出口ゲートバーＢＰが開いて当該定期車両の出庫を可能にすることができる。
【００３４】
従って、本発明によれば当該定期車両の所有者、又は、その関係者以外の者が無断で当該定期車両を出庫させようとしても、ロックが掛かっているので出庫ができず、また、駐車料金を精算して出庫させようとしても、定期車両には駐車券が発行されていないため、出庫は不可能となる。更に、他の入庫車両の駐車券を利用、又は、不正入手して定期車両の出庫を行なおうとしても、入庫時に上記入口ナンバープレート読取機ＶＩＳが読取った車両ナンバーを、前記マッチングサーバＭＳが発行された各駐車券毎に認識しているため、出口ナンバープレート読取機ＶＩＳ′による車両ナンバーの読取りによってその間違いを確認して、出庫を不可とすることができるものであって、斯くして、定期車両の無断出庫を防止することができる。
【００３５】
次に、上述した本発明による入庫と出庫の各処理動作を、図５乃至図９に示したフローチャートに従って説明する。
【００３６】
図５は、入庫通路ＰＮに設けた駐車券発券機ＴＤでの動作フローを示したものであって、ステップＳ１の車両ＯＭの入庫に引き続いて、ステップＳ２では入口ナンバープレート読取機ＶＩＳによる入庫車両ＯＭの車両ナンバーの読取りを行なって、マッチングサーバＭＳが入庫車両ＯＭが定期車両（契約車両）であるか否かを判定し、定期車両であると判定した場合は、定期契約済みの車両としてステップＳ３及びＳ４の処理を行ない、定期車両でないと判定された場合は、ステップＳ５に進んで駐車券を発行して、一般車両として入庫処理を行なう。
【００３７】
図６は、入庫車両ＯＭが定期車両で、しかも、予めマッチングサーバＭＳに対して自動ロック登録が成されている車両に対しての自動ロックの処理手順を説明したものであって、ステップＳ７の確認処理に引き続いて、ステップＳ８でマッチングサーバＭＳが自動ロック設定済みの車両であると判定すると、ステップＳ９に進んで当該定期車両の出庫にロックを掛け、そうでないと判定した場合は、ステップＳ１０に進んで図７に示した手動ロック登録の手順に移行する。
【００３８】
尚、本発明では入庫する全ての定期車両に対して、その出庫に自動的にロックを掛けたり、或は、以下に述べる事前精算機ＣＰＳを用いて各車両毎に手動でロックを掛けたりすることができるものであって、これ等自動と手動の切替え手段はマッチングサーバＭＳが具備し、また、各車両に対してロックが掛かっているか否かを表示又は音声にて通知する通知手段は、事前精算機ＣＰＳに具備されている。
【００３９】
図７は、上述した事前精算機ＣＰＳを用いて手動式でロックを掛ける場合の処理手順を説明したフローチャートであって、ステップＳ１１で事前登録機ＣＰＳにＩＤカードを挿入するか、或は、テンキー１８を用いるかして車両ナンバーに付随するＩＤが入力されると、マッチングサーバＭＳがこれを照合して次のステップＳ１２で入力されたＩＤの正否と、そのＩＤが入庫車両ＯＭのものであるか否かが判定され、ＹＥＳ（はい）の場合は次のステップＳ１３に進むが、ＮＯ　（いいえ）の場合はステップＳ１７に進んで処理を無効にする。
【００４０】
上記のステップＳ１３では、マッチングサーバＭＳにおいてすでに当該車両がロック済みであるか否かが判定され、ＹＥＳの場合はステップＳ１４に進んですでにロック状態にあることを表示器２に表示して、ロックを解除するかどうかの確認のためにステップＳ１５に進むが、ＮＯの場合はステップＳ１８に進んで事前精算機ＣＰＳが表示器２に当該車両がロックされていないことを表示し、且つ、ロックするか否かの確認のために次のステップＳ１９に進む。
【００４１】
上記のステップＳ１５では、ロック状態を解除するか否かが判定され、ＹＥＳの場合は図８に示したロック解除フローに進むが、ＮＯの場合はステップＳ２０に進む。また、前記ステップＳ１９では、入庫処理をロックするかいなかが判定され、ＹＥＳの場合は上記のステップＳ２０に進んで、マッチングサーバＭＳ上で当該車両に鍵のマークを付け、ロック状態であることを明示するために表示器２に図１０（Ａ）のロック開始時の画面を表示して、当該車両の出庫にロックを掛けるが、ＮＯの場合はステップＳ２１に進んでロックを掛けない状態にして、出庫通路ＰＵに設けた出口ナンバープレート読取機ＶＩＳ′の車両ナンバー読取りによる出庫処理を可能にする。
【００４２】
図８は、上記事前精算機ＣＰＳによるロック解除の処理手順を説明したフローチャートであって、始めのステップＳ２２での事前精算機ＣＰＳへのＩＤカードの挿入、又は、テンキー１８によるＩＤの入力後、ステップＳ２３，Ｓ２９，Ｓ２４の各処理を行ない、次いで、ステップＳ２５に進んでロック状態にすると判定した場合は、ステップＳ３０に進んで図７に示したロック操作フローに移行するが、ロック状態にしないと判定した場合は、ステップＳ２６のロック解除処理に進む。次いで、ステップＳ２７で解除するの判定を行なうと、ステップＳ２８に進んでロックを解除し、且つ、表示器２に図１０（Ｂ）に示したロック解除の画面を表示して、出口ナンバープレート読取機ＶＩＳ′での出庫処理を可能にするが、解除しないと判定した場合には、ステップＳ３１に進んでロックの状態、つまり、出庫不可能な状態を継続する。
【００４３】
尚、上述した事前精算機ＣＰＳを用いた図７及び図８に示したフローチャートに於いて、ステップＳ１５，Ｓ１６，Ｓ２５及びＳ２７に示した各判断は、いずれも操作者がテンキー１８を操作して選択するものである。
【００４４】
図９は、出庫通路ＰＵに設けた駐車料金精算機ＥＰＳ（出口精算機）での処理を説明したフローチャートであって、ステップＳ３２で出庫車両ＯＭ′が出庫通路ＰＵ（出庫口）に到着すると、次のステップＳ３３に進んで出口ナンバープレート読取機ＶＩＳ′による車両ナンバーの読取りに基づいて、マッチングサーバＭＳが定期車両であるか否かが判定され、ＹＥＳの場合はステップＳ３４に進んで当該車両がロック状態にあるか否かが判定される。ステップＳ３４でＹＥＳの場合は、駐車料金精算機ＥＰＳがＩＤの提示を表示或は音声によって促し、その結果、ＩＤカード又はテンキーによって入力されたＩＤをマッチングサーバＭＳに照合させて、次のステップＳ３６に進むが、ＮＯの場合はステップＳ４１に進んでそのまま出口ナンバープレート読取機ＶＩＳ′による車両ナンバー読取りによって出庫処理を行なう。
【００４５】
また、上記のステップＳ３３でＮＯ（定期車両ではない）と判定された場合は、ステップＳ３８に進んで前記事前精算機ＣＰＳを用いた事前精算が済んでいるか否かが判定され、ＮＯの場合は駐車券を用いて駐車料金の精算を済ませて出庫処理に進むが、ＹＥＳの場合は精算済み車両として出庫処理を行なう。
【００４６】
更に、上記のステップＳ３６で入力されたＩＤが正しいと判定された場合は、ステップＳ３７に進んで駐車料金精算機ＥＰＳによる出庫処理に進むが、ＮＯの場合は出庫処理を中止して、係員の呼出し等の処理を行なう。
【００４７】
【発明の効果】
以上述べた次第で、本発明に係る駐車場管理システムによれば、駐車場に駐車した定期車両（契約車両）の出庫にロックを掛けることができるため、定期車両の無断出庫を防止して、盗難を予防することができる。
【図面の簡単な説明】
【図１】本発明に係る駐車場管理システムの全体を示した構成図。
【図２】本発明の電気的構成を説明したブロック図。
【図３】事前精算機の一例を示した正面図。
【図４】事前精算機の電気的構成を説明したブロック図。
【図５】入庫口に設けた駐車券発券機による入庫処理の手順を説明したフローチャート。
【図６】定期車両の出庫に自動的にロックを掛ける自動ロックの処理手順を説明したフローチャート。
【図７】事前精算機による手動ロックの処理手順を説明したフローチャート。
【図８】事前精算機によるロック解除の処理手順を説明したフローチャート。
【図９】出庫口に設けた駐車料金精算機による出庫処理の手順を説明したフローチャート。
【図１０】（Ａ）は事前精算機の表示器に表示されるロック開始時の画面を示した正面図、（Ｂ）はそのロック解除時の画面を示した正面図。
【符号の説明】
ＰＫ　　　　　　駐車場の駐車スペース
ＰＮ　　　　　　入庫通路
ＰＵ　　　　　　出庫通路
ＴＤ　　　　　　駐車券発券機
ＡＰ　　　　　　入口ゲートバー
ＥＰＳ　　　　　駐車料金精算機
ＢＰ　　　　　　出口ゲートバー
ＭＣ，ＭＣ′　　マッチングコンピュータ
ＭＳ　　　　　　マッチングサーバ
ＣＰＳ　　　　　事前精算機
ＯＭ　　　　　　入庫車両
ＯＭ′　　　　　出庫車両
ＶＩＳ　　　　　入口ナンバープレート読取機
ＶＩＳ′　　　　出口ナンバープレート読取機
【図１】
2004029899.tif 000003
【図２】
2004029899.tif 000004
【図３】
2004029899.tif 000005
【図４】
2004029899.tif 000006
【図５】
2004029899.tif 000007
【図６】
2004029899.tif 000008
【図７】
2004029899.tif 000009
【図８】
2004029899.tif 000010
【図９】
2004029899.tif 000011
【図１０】
2004029899.tif 000012